(57)【特許請求の範囲】
【請求項１】
キャップ本体と上蓋がヒンジによって結合され、係止筒と、前記スカート部のヒンジと反対側の領域に液ハネ防止板とが設けられたヒンジキャップにおいて、
前記液ハネ防止板は、前記スカート部の下端部から下方へと突出する様に設けられ、
前記液ハネ防止板の内周面には、閉蓋時にキャップ本体の本体側壁と当接する液止突起部が形成されており、
前記液止突起部は、付着液の飛散を防止するためのものであると共に前記液ハネ防止板に衝突した液の下方への流下を阻止するためのものであることを特徴とするヒンジキャップ。
【請求項２】
前記液止突起部が前記液ハネ防止板の周方向全長に渡って設けられていることを特徴とする請求項１に記載のヒンジキャップ。
【請求項３】
前記キャップ本体の側壁には、外周面に凹所が設けられ、閉蓋時に前記液ハネ防止板が前記凹所に収容されることを特徴とする請求項１または２に記載のヒンジキャップ。
【請求項４】
前記キャップ本体の側壁頂面に、溝部が設けられていることを特徴とする請求項１、２、または３記載のヒンジキャップ。
【請求項５】
前記溝部は、液排出孔に連通していることを特徴とする請求項４に記載のヒンジキャップ。
【発明の詳細な説明】
【技術分野】
【０００１】
本発明は、ヒンジキャップに関し、詳細には液ハネ防止板を備えたヒンジキャップに関する。
【背景技術】
【０００２】
従来、ヒンジキャップが打栓された容器を傾けて注出する際、キャップ本体の側壁上部に内容液が付着することがあった。内容液が付着したまま閉栓してしまうと、その時の打撃により付着している内容液（付着液）が外方に飛散等し、使用者の衣服等を汚損する可能性があるため、ヒンジキャップをゆっくり閉蓋する必要があった。このような問題に対して、上蓋に飛散防止のカバー板（特許文献１を参照）等の液ハネ防止板を設ける工夫がなされている。
【先行技術文献】
【特許文献】
【０００３】
【特許文献１】実用新案登録第２５８３０３６号公報
【発明の概要】
【発明が解決しようとする課題】
【０００４】
しかしながら、従来の技術では閉蓋状態において上蓋に設けられた液ハネ防止板とキャップ本体の外周面との間に隙間があるため、閉蓋時に当該板の内面に当って付着液の飛散防止はできるものの、付着液がその自重によって本体側壁下部に垂れてしまうという問題があった。又、付着液の飛散防止も完全ではなく、閉蓋時に、当該板によってカバーされない下方向に付着液が飛散する可能性があった。
【０００５】
そこで、本発明は、液ハネ防止板を備えたキャップを改良し、このような問題を起こすことが無いヒンジキャップを提供することを目的とする。
【課題を解決するための手段】
【０００６】
本発明は、キャップ本体と上蓋がヒンジによって結合され、係止筒と、前記スカート部のヒンジと反対側の領域に液ハネ防止板とが設けられたヒンジキャップにおいて、前記液ハネ防止板は、前記スカート部の下端部から下方へと突出する様に設けられ、前記液ハネ防止板の内周面には、閉蓋時にキャップ本体の本体側壁と当接する液止突起部が形成されており、前記液止突起部は、付着液の飛散を防止するためのものであると共に前記液ハネ防止板に衝突した液の下方への流下を阻止するためのものであることを特徴とするヒンジキャップである。望ましくは、前記液止突起部は前記液ハネ防止板の周方向全長に渡って設けられる。 
【０００７】
又、本発明は、前記キャップ本体の側壁には、外周面に凹所が設けられ、閉蓋時に前記液ハネ防止板が前記凹所に収容されることを特徴とするヒンジキャップである。
【０００８】
又、本発明は、前記キャップ本体の側壁頂面に溝部が設けられていることを特徴とするヒンジキャップである。
【０００９】
又、本発明は、前記溝部は、液排出孔に連通していることを特徴とするヒンジキャップである。
【発明の効果】
【００１０】
本発明は、前記液ハネ防止板の内周面に、閉蓋時にキャップ本体の本体側壁と当接する液止突起部が形成されているので、キャップ本体の側壁上部に付着した液が、外方に飛散したとしても、液ハネ防止板が形成される範囲においてその飛散が防止でき、又、前記液止突起は閉蓋時に、上蓋の側壁下端面がキャップ本体の側壁頂面と当接するとほぼ同時にキャップ本体側壁と当接するため、付着液の下方への飛散も防止される。更に、液ハネ防止板の内周面に衝突した内容液は、液ハネ防止板の内周面、液止突起、キャップ本体側壁の間に保持され、下方への流下を阻止することができる。特に、当該液止突起部が当該液ハネ防止板の周方向全体に渡って形成されることにより、より高い効果が得られる。
【００１１】
又、キャップ本体の側壁には、外周面に凹所を設け、閉蓋時に液ハネ防止板が凹所に収容されることにより、凹所が設けられたキャップ本体側壁の上部は、付着液が溜まる液溜りスペースを小さくすることができる。即ち、飛散する付着液を予め少なくできる。又、閉蓋時に液ハネ防止板が凹所に収容されることにより外観性にも優れたキャップを提供できる。
【００１２】
又、溝部が設けられることにより閉蓋時に液ハネ防止板とキャップ本体の本体側壁との間に溜まっている内容液が再度、開蓋する時に、前記液止突起部は本体側壁を擦りながら上昇する。そのため、前記液止突起部がワイパーのように働き、前記内容液が、掻き揚げられ溝部へ誘導されるので、本体側壁下部に垂れることを防ぐことができる。
【００１３】
又、溝部が液排出孔に連通されていることにより、溝部へ誘導された付着液を流出させることができる。
【図面の簡単な説明】
【００１４】
【図１】図２のＩ−Ｉ線における断面図である。
【図２】本発明のヒンジキャップの開蓋時における正面図である。
【図３】図２のIII−III線における断面図である。
【図４】図１の要部拡大図である。
【図５】図２のＶ−Ｖ線における断面図である。
【図６】図１の閉蓋時における状態を示した図である。
【図７】本発明のヒンジキャップの開蓋時における背面図である。
【図８】図７の要部拡大図である。
【発明を実施するための形態】
【００１５】
本発明の実施の形態を図１乃至８に基づき説明する。ヒンジキャップ１は合成樹脂からなり、キャップ本体２とキャップ本体２に被着される上蓋３と、両者２、３とを連結するヒンジ部４を備える。
【００１６】
キャップ本体２はその先端が放射状の注出筒５と、注出筒５に頂壁６を介して連結された筒部７とを備える。注出筒５内方の頂壁６には、流体の流通を遮断する遮断壁８が設けられているが、この遮断壁８には、無端状の裂溝９とプルリング１０が設けられ、プルリング１０は裂溝９の内側に配設される。本実施の形態において遮断壁８は略三角形状に設けられている。
【００１７】
頂壁６には、注出筒５と同心状の係止筒１１が設けられる。係止筒１１は注出筒５より大径に形成される。
【００１８】
当該液が付着しやすい箇所には凹所１２ａが形成されており、凹所１２ａは側壁１２の上部外周面を切り欠いた形状からなる。又、本体側壁１２には、ヒンジ４の反対側の箇所には、凹所１２ａと連続する指掛け部１２ｂが設けられる。又、本体側壁１２には、その頂面１２ｃに、軸方向に形成された溝部１３が設けられている。しかしながら、本実施の形態においては、指掛け部１２ｂの箇所は肉厚となっており、故に、指掛け部１２ｂの箇所には溝部１３は形成されていない。従って、溝部１３は指掛け部１２ｂにより、両サイドに分かれるように設けられていることとなる。尚、溝部１３の底面には液排出孔１４が設けられている。従って、溝部１３は液排出孔１４によってキャップ本体２の背面側と連通している。
【００１９】
上蓋３は、天壁１５及び天壁１５に連続するスカート部１６を備え、ヒンジ部４と反対側の下端部には鍔部１７が設けられている。天壁１５の内面には、閉蓋時に注出筒５の先端を外周側からシールするように形成されたアウターリング１８とその内側に配設され、注出筒５の先端を内周側からシールするインナーリング１９が同心状に立設されている。
【００２０】
スカート部１６の上蓋３における正中線Ｍの鍔部１７側の領域（ヒンジ部４と反対側の領域）には液ハネ防止板２０が設けられる。液ハネ防止板２０は、キャップ本体２の側壁１２を切り欠いて設けられる凹所１２ａの形状に合わせて平面視略円弧状に設けられ、ヒンジキャップ１の閉蓋時には凹所１２ａに収納される。
【００２１】
液ハネ防止板２０の内周面には、液止突起部２０ａが設けられている。液止突起部２０ａは、当該内周面の周方向に沿って全長に渡り平面視略直線状に設けられ、ヒンジキャップ１の閉蓋時に本体側壁１２の凹所１２ａの外周面と当接する。尚、液止突起部２０ａの長さは必要に応じて適宜変更することができる。
【００２２】
本発明のヒンジキャップ１は、本体側壁１２の凹所１２ａの部分が切り欠かれているため液溜りの少ない構造となっており、従来のヒンジキャップよりも飛散する可能性のあるキャップ本体２に付着した内容液（付着液）の量が予め少なくなるようになっている。そして、上蓋３を閉蓋した際には、付着液は液ハネ防止板２０によって受け止められるため、付着液は飛散することがない。
【００２３】
又、液ハネ防止板２０の周方向全体に渡って液止突起部２０ａが設けられているため、液止突起部２０ａが付着液を覆い、付着液が本体側壁１２の下部に垂れることがないようになっている、又、それと同時に液ハネ防止板２０が本体側壁１２に接触する際、下方向に付着液が飛散することを防止できる。その後、再度、上蓋３を開蓋した際、本体側壁１２に付着している、付着液は、液止突起部２０ａによって、ワイパーのように掻き揚げられ、溝部１３へと誘導される。誘導された付着液は溝部１３と連通する液排出孔１４からキャップ本体２の背面側に排出されることとなる。
【００２４】
因って、本発明のヒンジキャップ１を用いることにより、閉蓋時には、付着液が飛散することのないようにゆっくり閉蓋する必要も無く、普通に閉蓋することができ、且つ、付着液が本体側壁２０下部に垂れることもない。又、溝部１３の付随的な効果として、例え、内容液が液ハネ防止板２０の設けられていない箇所に付着していたとしても、閉蓋の際、上蓋３によって付着液は溝部１３に押し込まれるため、本体側壁１２に垂れることなく液排出孔１４から排出される。
【００２５】
本発明は上記実施の形態に限定されるものではない。例えば、必ずしも本体側壁１２に凹所１２ａや指掛け部１２ｂを、溝部１３に液排出孔１４を設けることを要しないし、溝部１３をキャップ本体２の両サイドに分けずに連続して形成してもよい。又、各部位の形状及び大きさ等は適宜変更可能である。例えば、当該実施の形態において、遮断壁８は略三角状に設けられているが、当然、円状、楕円状、Ｕ字状、多角形状、及びその他形状を適宜採用することができ、遮断壁８を取り除く方法としてプルリング１０以外を用いる方法も適宜選択することもできる。
【符号の説明】
【００２６】
１      ヒンジキャップ    ２      キャップ本体      ３      上蓋
４      ヒンジ部          ５      注筒部            ６      頂壁
７      筒部              ８      遮断壁            ９      裂溝
１０    プルリング        １１    係止筒            １２    本体側壁
１２ａ  凹所              １２ｂ  指掛け部          １２ｃ  頂面
１３    溝部              １４    液排出孔          １５    天壁
１６    スカート部        １７    鍔部              １８    アウターリング
１９    インナーリング    ２０    液ハネ防止板      ２０ａ  液止突起部
【図１】
0005504023.tif 000002
【図２】
0005504023.tif 000003
【図３】
0005504023.tif 000004
【図４】
0005504023.tif 000005
【図５】
0005504023.tif 000006
【図６】
0005504023.tif 000007
【図７】
0005504023.tif 000008
【図８】
0005504023.tif 000009